(57)【特許請求の範囲】
【請求項１】
敷設施工した湿気硬化型樹脂を用いた弾性舗装の路面上を所定の高さを隔てて吸水性シートで覆い、この吸水性シート上を保温シートで気密的に覆った状態で、前記弾性舗装を一定時間加熱養生し、加熱養生後、前記吸水性シート及び保温シートを取り除くことを特徴とする湿気硬化型弾性舗装の養生方法。
【請求項２】
前記湿気硬化型樹脂を用いた弾性舗装が、湿気硬化型のウレタン樹脂をバインダーとして用いた請求項１に記載の湿気硬化型弾性舗装の養生方法。
【請求項３】
前記吸水性シートが、通気孔を有するシート材であり、かつ水，温水，熱水の吸水可能な所定の厚さ以上の化学繊維で構成した請求項１または２に記載の湿気硬化型弾性舗装の養生方法。
【請求項４】
前記吸水性シートは、弾性舗装の路面上に架台を介して所定の高さを隔てて覆う請求項１，２または３に記載の湿気硬化型弾性舗装の養生方法。
【請求項５】
前記弾性舗装の路面と吸水性シートとの間が、８〜１５ｍｍである請求項１，２，３または４に記載の湿気硬化型弾性舗装の養生方法。
【請求項６】
前記保温シートが気密性シートまたは電熱シートである請求項１，２，３，４または５に記載の湿気硬化型弾性舗装の養生方法。
【請求項７】
前記弾性舗装が、空隙を有する弾性舗装である請求項１，２，３，４，５または６に記載の湿気硬化型弾性舗装の養生方法。
【発明の詳細な説明】
【技術分野】
【０００１】
この発明は、湿気硬化型弾性舗装の養生方法に係わり、更に詳しくは敷設施工した湿気硬化型樹脂を用いた弾性舗装を発泡の危険性がなく、短時間に硬化させることを可能とした湿気硬化型弾性舗装の養生方法に関するものである。
【背景技術】
【０００２】
従来、湿気硬化型のウレタン樹脂バインダーを用いた弾性舗装は、敷設施工直後から空気中の水分を吸収して硬化するために、その硬化時間は温度と湿度に影響を受け、特に冬期の低温、乾燥状態においては養生時間の短縮化が要求されていた。
【０００３】
また、従来の現場打ち透水性コンクリート舗装の施工方法において、施工時間の短縮化を図るために、加熱養生シートで覆い養生させる方法が提案されている（例えば、特許文献１参照）。
【０００４】
上記のような湿気硬化型のウレタン樹脂バインダーを用いた弾性舗装において、弾性舗装の硬化促進を図るために、舗装路面に散水する方法が行われていたが、散水時間や散水量によっては、ウレタン樹脂バインダーが水と反応して二酸化炭素を発生し、舗装路面が発泡する等の問題があった。
【特許文献１】特開２００２−３０２９０４号公報
【発明の開示】
【発明が解決しようとする課題】
【０００５】
この発明はかかる従来の問題点に着目し、施工路面の発泡の危険性が少なく、弾性舗装の硬化時間の短縮化を図ることが出来る湿気硬化型弾性舗装の養生方法を提供することを目的とするものである。
【課題を解決するための手段】
【０００６】
この発明は上記目的を達成するため、敷設施工した湿気硬化型樹脂を用いた弾性舗装の路面上を所定の高さを隔てて吸水性シートで覆い、この吸水性シート上を保温シートで気密的に覆った状態で、前記弾性舗装を一定時間加熱養生し、加熱養生後、前記吸水性シート及び保温シートを取り除くことを要旨とするものである。
【０００７】
ここで、前記湿気硬化型樹脂を用いた弾性舗装が、湿気硬化型のウレタン樹脂をバインダーとして用いたものであり、前記吸水性シートが、通気孔を有するシート材であり、かつ水，温水，熱水の吸水可能な所定の厚さ以上の化学繊維で構成したものである。
【０００８】
また、前記吸水性シートは、弾性舗装の路面上に架台を介して所定の高さを隔てて覆うように構成し、前記舗装路面と吸水性シートとの間が、８〜１５ｍｍであり、好ましくは１０ｍｍである。また、前記保温シートがビニールシート等の気密性シートまたは電源により加熱する電熱シートであり、前記弾性舗装が、空隙を有する弾性舗装である。
【０００９】
このように構成することで、敷設施工した湿気硬化型樹脂を用いた弾性舗装を発泡の危険性がなく、短時間に硬化させることを可能とすることができる。
【発明の効果】
【００１０】
この発明は上記のように、敷設施工した湿気硬化型樹脂を用いた弾性舗装の路面上を所定の高さを隔てて吸水性シートで覆い、この吸水性シート上を保温シートで気密的に覆った状態で、前記弾性舗装を一定時間加熱養生し、加熱養生後、前記吸水性シート及び保温シートを取り除くようにしたので、施工路面の発泡の危険性が少なく、弾性舗装の硬化時間の短縮化を図ることが出来、特に、従来の散水方法に較べて１／１０程度に硬化時間を短縮することが出来る。
【発明を実施するための最良の形態】
【００１１】
以下、添付図面に基づき、この発明の実施形態を説明する。
【００１２】
図１は、この発明の湿気硬化型弾性舗装の養生方法を実施するための湿気硬化型弾性舗装の一部縦断斜視図を示し、１は下地層Ｇ上に施工した空隙を有する湿気硬化型の弾性舗装（例えば、硬質骨材やゴムチップ等の軟質骨材等の骨材を湿気硬化型のウレタン樹脂バインダーを用いて固結することにより、空隙率が５％以上、４０％以下の排水性を有する舗装、以下弾性舗装とも言う。）であって、前記弾性舗装１の路面１ａ上には所定の高さＨを隔てて木材や金属材料等により形成された架台２が設置され、この架台２上には、前記湿気硬化型の弾性舗装１の路面１ａを覆う吸水性シート３が載置されている。
【００１３】
そして、この発明の実施形態では、前記吸水性シート３上を保温シート４で気密的に覆った状態で、前記弾性舗装１を一定時間（例えば、２０分以上）加熱養生し、加熱養生後、前記吸水性シート３及び保温シート４を取り除いて湿気硬化型弾性舗装を養生する方法である。
【００１４】
前記吸水性シート３は、通気孔を有するシート材であり、このシート材は、水，温水，熱水の吸水可能な所定の厚さの化学繊維で構成されている。この吸水性シート３の厚さとしては、２ｍｍ以上〜２０ｍｍ以下が好ましく、２ｍｍ未満では吸水量が少なく、２０ｍｍ超では高価であり、取り扱いに不便である。
【００１５】
この実施形態における吸水性シート３としては、毛細管現象により水を吸い上げると共に、吸い上げた水を水平方向に移送することができ、広い面積から蒸発させることが出来る、ポリエステル繊維からなり、微細な通気孔を有する不織布状のシート材、例えば、東洋紡績社製のコスモＡ−１、ジャームガード４４２０Ｓ、ジャームガード７２１０Ｓを使用することが出来る。
【００１６】
また、前記弾性舗装１の路面１ａと吸水性シート３との間は、８ｍｍ〜１５ｍｍ、好ましくは１０ｍｍ前後が良く、８ｍｍ未満では、路面１ａと吸水性シート３が接触する危険性があり、１５ｍｍを超えると加湿効果が薄れ、硬化時間の短縮化を図り難いと言う問題がある。
【００１７】
また、前記保温シート４としては、ビニールシート等の気密性シートまたは電源により加熱する電熱シートである。
【００１８】
次に、この発明の湿気硬化型弾性舗装の養生方法について説明する。
図１に示すように、下地層Ｇ上に空隙を有する湿気硬化型の弾性舗装１を施工した後、この弾性舗装１の路面１ａ上に所定の高さＨを隔てて架台２を跨ぐように設置し、更にこの架台２上には、弾性舗装１の路面１ａを覆う水，温水（例えば、５０°Ｃ）を吸水させた通気孔を有する吸水性シート３を１０ｍｍ前後の隙間を隔てて載置する。
【００１９】
そして、この発明の実施形態では、前記吸水性シート３上を外気が入らないように保温シート４で気密的に覆い、保温シート４で覆った状態で、前記弾性舗装１を一定時間（例えば、２０分以上）湿気と温度により加熱養生する。
【００２０】
前記保温シート４がビニールシート等の気密性シートである場合には、覆った状態で保温により一定時間（例えば、２０分以上）保熱養生させ、また電源により加熱する電熱シートの場合には、電源を入れて加熱することで、一定時間（例えば、２０分以上）湿気と温度により加熱養生する。
【００２１】
そして、弾性舗装１の加熱養生後、前記吸水性シート３及び保温シート４を取り除いて湿気硬化型弾性舗装の養生を終了する。
【００２２】
なお、この実施形態では、従来の散水による方法に較べてビニールシート等の気密性シートまたは電源により加熱する電熱シートと水，温水（例えば、５０°Ｃ）を吸水させた通気孔を有する吸水性シート３とで弾性舗装１を覆うことで、吸水性シート３に吸水させた水分を湿気硬化型の弾性舗装１の表面から内部まで均一に拡散させることで弾性舗装１を発泡させることなく、従来に較べて、短時間（従来に較べて１／１０程度の時間）で硬化させることを可能とすることができる。
【００２３】
なお、施工した湿気硬化型弾性舗装に水を散布した場合には、ウレタン樹脂が水と短時間に反応して二酸化炭素を発生し、更に発生した二酸化炭素が水膜によって飛散し難くなり、弾性舗装の路面が発泡するが、この発明ではウレタン樹脂と水との反応が適正に制御され、発生した二酸化炭素が飛散し易くなり弾性舗装の路面が発泡しなくなる。
【００２４】
以上のように、この発明では敷設施工した湿気硬化型樹脂を用いた弾性舗装１の路面１ａ上を所定の高さを隔てて吸水性シート３で覆い、この吸水性シート３上を保温シート４で気密的に覆った状態で、前記弾性舗装１を一定時間加熱養生し、加熱養生後、前記吸水性シート３及び保温シート４を取り除くようにしたので、施工路面１ａの発泡の危険性が少なく、弾性舗装の硬化時間の短縮化を図ることが出来、特に、従来の散水方法に較べて１／１０程度に硬化時間を短縮することが出来るものである。
【図面の簡単な説明】
【００２５】
【図１】この発明の湿気硬化型弾性舗装の養生方法を実施するための湿気硬化型弾性舗装の一部縦断斜視図である。
【符号の説明】
【００２６】
１  湿気硬化型の弾性舗装
１ａ  路面
Ｇ  下地層
２  架台
３  吸水性シート
【図１】
0005239532.tif 000002